(57)【特許請求の範囲】
【請求項１】
芝生面を上側に有するグリーン基台と、
前記グリーン基台の下部に複数設置され、前記芝生面の傾斜を調節可能にする傾斜調節具と、
前記芝生面の傾斜の度合いを示す種々の傾斜データを記憶する記憶部と、
前記記憶部の中から特定の前記傾斜データを選択する操作部と、
前記操作部からの操作信号を受けて、特定の前記傾斜データに対応する傾斜が前記芝生面で得られるように、前記傾斜調節具を制御する制御部と、を備え、
前記芝生面が芝刈り機での刈り込みを可能にする天然芝で形成され、前記グリーン基台の周囲に前記芝刈り機の折返し走行が可能な上面を有するターン部を配設し、
前記操作部により前記記憶部の中から特定の前記傾斜データを選択すると、当該傾斜データに対応して、前記ターン部の上面に対して前記芝生面を傾斜させる使用モードとは別に、前記ターン部の上面と前記グリーン基台が同一面となるように、前記制御部が前記傾斜調節具を制御する芝刈りモードを、前記操作部からの操作で選択できる構成としたことを特徴とするパッティンググリーン装置。
【請求項２】
前記ターン部は地面に設置した支持材に支持され、
前記芝刈り機を地面から前記ターン部の上面に導くスロープ部を設けたことを特徴とする請求項１記載のパッティンググリーン装置。
【発明の詳細な説明】
【技術分野】
【０００１】
本発明は、ゴルフのパッティング練習に利用できるパッティンググリーン装置に関するものである。
【背景技術】
【０００２】
この種のパッティンググリーン装置として、例えば特許文献１には、人造芝生を板体に付着した片端にホールカップを設置した装置本体に対して、その片端の両側と他端の中間に高さ調節具を設置し、人造芝生に設けたレンチ挿入孔から高さ調節具にレンチを差し込んで回転させることにより、芝生面の傾斜を自由に調整して、ゴルフのパッティング技術を効果的に研磨するものが知られている。
【０００３】
また、別な特許文献２には、フレームの上側にホールカップを備えた仮想グリーンを有するパッティングマットにおいて、フレームの４つの角部に設けた高さ調節器によって、フレームを含む仮想グリーン全体の斜面を調節する他に、フレキシブルタイプの仮想グリーンに設けた別な高さ調節器によって、仮想グリーンの斜面を部分的に調節できるものが提案されている。
【先行技術文献】
【特許文献】
【０００４】
【特許文献１】特開平１１−２９９９５４号公報
【特許文献２】特表２００５−５２１４９２号公報
【発明の概要】
【発明が解決しようとする課題】
【０００５】
上述したパッティンググリーン装置は、装置本体に高さ調節具を付加することで、実際のフィールドに近い環境となるように、芝生面の傾斜を全体的若しくは部分的に調節できる点で共通する。しかし、芝生面を任意の向きに傾斜させるためには、複数の高さ調節具の可動部分を手動でいちいち操作しなければならず、望ましい傾斜を得ることが難しかった。
【０００６】
また、既存のパッティンググリーン装置は、ゴルフボールを転がす芝生面の芝目について何等考慮がなされておらず、実際のフィールドとは程遠い感覚でパッティング練習を行わざるを得ない不満があった。
【０００７】
そこで、本発明は上記問題点に鑑み、望ましい傾斜の芝生面を簡単に得ることが可能なパッティンググリーン装置を提供することを主な目的とする。
【０００８】
また、本発明の第２の目的は、芝生面の傾斜のみならず芝目を任意に調節できるパッティンググリーン装置を提供することにある。
【課題を解決するための手段】
【０００９】
本発明のパッティンググリーン装置は、芝生面を上側に有するグリーン基台と、前記グリーン基台の下部に設置され、前記芝生面の傾斜を調節可能にする傾斜調節具と、前記芝生面の傾斜の度合いを示す種々の傾斜データを記憶する記憶部と、前記記憶部の中から特定の前記傾斜データを選択する操作部と、前記操作部からの操作信号を受けて、特定の前記傾斜データに対応する傾斜が前記芝生面で得られるように、前記傾斜調節具を制御する制御部と、を備え、前記芝生面が芝刈り機での刈り込みを可能にする天然芝で形成され、前記グリーン基台の周囲に前記芝刈り機の折返し走行が可能な上面を有するターン部を配設し、前記操作部により前記記憶部の中から特定の前記傾斜データを選択すると、当該傾斜データに対応して、前記ターン部の上面に対して前記芝生面を傾斜させる使用モードとは別に、前記ターン部の上面と前記グリーン基台が同一面となるように、前記制御部が前記傾斜調節具を制御する芝刈りモードを、前記操作部からの操作で選択できる構成としたことを特徴とする。
【００１０】
また好ましくは、前記ターン部は地面に設置した支持材に支持され、前記芝刈り機を地面から前記ターン部の上面に導くスロープ部を設けたことを特徴とする。
【発明の効果】
【００１１】
請求項１の発明によれば、記憶部には予め芝生面の傾斜の度合いを示す種々の傾斜データが記憶されているので、操作部によりその中から特定の傾斜データを選択する操作を行なうだけで、後はグリーン基台に設置した傾斜調節具を制御部が制御して、特定の傾斜データに対応した傾斜に、芝生面を含むグリーン基台を自動的に調節することが可能になる。したがって、望ましい芝生の傾斜面を簡単に得ることが可能なパッティンググリーン装置を提供できる。また、ターン部で芝刈り機を折返しターンさせながら、グリーン基台上の天然芝を刈り込むことで、芝生面に所望の芝目を付けることが可能になる。したがって、芝生面の傾斜のみならず芝目を任意に調節したパッティンググリーン装置を提供できる。
【００１２】
請求項２の発明によれば、スロープ部からターン部の上面に芝刈り機を移動させ、ターン部の上面で芝刈り機の方向を前後反転させながら、グリーン基台上に芝刈り機を走行させて芝生面を刈り込むことができる。
【図面の簡単な説明】
【００１３】
【図１】本発明の第一実施形態におけるパッティンググリーン装置の要部外観斜視図である。
【図２】同上、パッティンググリーン装置の要部外観平面図である。
【図３】同上、パッティンググリーン装置の制御系統に関する構成を示すブロック図である。
【図４】本発明の第二実施形態におけるパッティンググリーン装置の要部外観平面図である。
【図５】同上、グリーン基台を水平にしたときのパッティンググリーン装置の要部縦断面図である。
【図６】同上、グリーン基台を傾斜させたときのパッティンググリーン装置の要部縦断面図である。
【発明を実施するための形態】
【００１４】
以下、本発明におけるパッティンググリーン装置の好ましい実施形態について、添付図面を参照しながら説明する。
【実施例１】
【００１５】
図１および図２は、本発明の第一実施形態で提案するパッティンググリーン装置の要部外観図である。これらの各図において、１はパッティング練習時に使用される練習装置本体であり、この練習装置本体１は、芝生面２を上部に植設したグリーン基台３と、グリーン基台３の下部に設置される油圧ジャッキ４ａ，４ｂ，４ｃと、地面に設置される支持材７と、グリーン基台３の全周を取り囲み、芝刈り機Ｓの折返し走行が可能な程度の上平面形状を有する床板状のターン部８と、ターン部８の下部に設置される芝刈り機Ｓを地面からターン部８の上平面に導くスロープ部９と、を主な構成としている。
【００１６】
グリーン基台３は、円板状部材の上平面に天然芝で形成された芝生面２を有して構成され、平面視でその中心から等しい角度毎に、等しい間隔で３台の油圧ジャッキ４ａ，４ｂ，４ｃを配置している。ここで使用する油圧ジャッキ４ａ，４ｂ，４ｃの数は、３乃至４が好ましい。油圧ジャッキ４ａ，４ｂ，４ｃは同一構成で、グリーン基台３を３点（または４点）で支持するために、地面に固定設置される本体部１１と、本体部１１の上部から出没し、グリーン基台３の下平面に常時当接する可動部１２と、により各々が構成される。ここでは、油圧ジャッキ４ａ，４ｂ，４ｃに各々送出される作動液の圧力、すなわち油圧によって、可動部１２の上下動が個々に制御される構成となっている。
【００１７】
グリーン基台３は、平面視で円形以外の各種形状とすることができる。また変形例として、グリーン基台３の下部に、当該グリーン基台３を支承する支柱１５を設け、この支柱１５を中心として、グリーン基台３をターン部８に対してどの方向にも回動可能となるようにしてもよい。
【００１８】
油圧ジャッキ４ａ，４ｂ，４ｃと同様に地面に設置される支持材７は、ターン部８の上平面が芝生面２と同じ高さとなるように、ターン部８を支持するもので、支持材７の上にターン部８を載置したデッキ構造体１７は、油圧ジャッキ４ａ，４ｂ，４ｃに臨んで水平方向に出し入れ可能な小区画部１８を備えている。この小区画部１８は、油圧ジャッキ４ａ，４ｂ，４ｃの保守点検用ステージとして設けられるもので、図１に示すように、デッキ構造体１７から部分的に小区画部１８を取り外すことで、作業者が油圧ジャッキ４に近付いて修理補修を行なうことが可能になる。また好ましくは、デッキ構造体１７を複数の小区画部１８に分解または組立できるように構成することで、練習装置本体１を例えばパッティングバーなどの任意の施設へ容易に設置できる。
【００１９】
スロープ部９は、芝刈り機Ｓの走行を妨げない程度の傾斜面を有し、その傾斜面の一側には手摺１９が立設される。スロープ部９の傾斜面上端は、ターン部８の上平面と略同じ高さに形成され、ターン部８の外周端のどの位置であっても、移動可能なスロープ部９を隣接して設置できる。図２に示すように、スロープ部９を通してターン部８の上平面に導かれた芝刈り機Ｓは、このターン部８の上平面で方向を前後反転させ、走行経路Ｋに沿って自走しながら、図示しないカッターで芝生面２を刈り込む。これにより、天然芝による芝生面２には、走行経路Ｋに沿った芝目を形成できる。また、ターン部８はグリーン基台３の全周を取り囲んでいるため、ターン部８上で芝刈り機Ｓの走行経路Ｋを変えることで、芝生面２に任意の芝目を付けることができる。なお、２０は芝生面２の適所に設けられた凹状のホール（カップ）である。
【００２０】
図３は、パッティンググリーン装置の制御系統に関する構成を示している。同図において、本実施形態では、前述した練習装置本体１の油圧ジャッキ４ａ，４ｂ，４ｃを個々に制御するために、油圧ジャッキ制御装置２１と、荷重計２２と、変位計２３と、操作部２４と、表示部２５と、記憶部２６と、電動油圧ポンプ装置２７と、を各々備えている。この中で、油圧ジャッキ制御装置２１や、操作部２４や、表示部２５や、記憶部２６は、例えば汎用のパーソナルコンピュータなどで構成できる。本実施形態のパッティンググリーン装置は、図１，２に示す練習装置本体１と、図３に示す油圧ジャッキ４ａ，４ｂ，４ｃ以外の各部を組み合わせて構成される。
【００２１】
油圧ジャッキ制御装置２１は、ＣＰＵ（中央演算装置）や入出力インターフェースを含んで構成され、ここでは特に、油圧ジャッキ４ａ，４ｂ，４ｃの各可動部１２を個別に動作させるのに、各種の演算処理を行なうソフトウェア機能を有する。油圧ジャッキ制御装置２１の入力インターフェースには、荷重計２２と、変位計２３と、操作部２４が各々電気的に接続され、油圧ジャッキ制御装置２１の出力インターフェースには、表示部２５と、電動油圧ポンプ装置２７が各々電気的に接続される。
【００２２】
荷重計２２は、油圧ジャッキ４ａ，４ｂ，４ｃの可動部１２に加わる荷重を検知して、その結果を荷重検知信号として油圧ジャッキ制御装置２１に送出するものである。また変位計２３は、本体部１１に対して上下動する可動部１２の変位を検知して、その結果を変位検知信号として油圧ジャッキ制御装置２１に送出するものである。これらの荷重計２２や変位計２３は、油圧ジャッキ４ａ，４ｂ，４ｃ毎に各々設けられる。
【００２３】
操作部２４は、例えばキーボードやマウスなどで構成され、表示部２５は、例えばＬＣＤディスプレイなどで構成される。記憶部２６には、例えば世界各地の著名なゴルフコースの各グリーンに合せて、幾つもの様々な芝生面２の傾斜データが予め記憶保持される。ここでいう傾斜データとは、芝生面２の傾斜の度合い、とりわけホール周辺における傾斜角度と傾斜方向を数値化したものを含んでおり、好ましくは同じく記憶部２６に記憶保持されるゴルフ場名やホール番号などのコース情報と関連付けられる。記憶部２６内の傾斜データやコース情報は、油圧ジャッキ制御装置２１からの命令で読み出しおよび書き込みが可能であり、必要に応じて何時でも傾斜データやコース情報の追加や、削除や、修正を行なうことができる。また傾斜データとして、グリーン上の芝生面２の傾斜角度と傾斜方向から算出された各油圧ジャッキ４ａ，４ｂ，４ｃにおける可動部１２の突出高さを、予め記憶部２６に記憶保持してもよい。
【００２４】
電動油圧ポンプ装置２７は、油圧ジャッキ制御装置２１からの駆動制御信号を受けて動作する電動の油圧ポンプや制御電磁弁を組み合わせて構成され、電動油圧ポンプ装置２７と各油圧ジャッキ４ａ，４ｂ，４ｃとの間には、互いに作動液の流通を可能にする油圧配管が接続される。本実施形態の油圧ジャッキ制御装置２１は、操作部２４の手動操作により、記憶部２６に記憶保持される複数の傾斜データの中から、特定の一つの傾斜データを選択するための操作信号が送出されると、その特定の傾斜データが得られるような各油圧ジャッキ４ａ，４ｂ，４ｃの可動部１２の突出高さの目標値を算出する。そして、荷重計２２からの荷重検知信号や、変位計２３からの変位検知信号を取り込みながら、実際の各油圧ジャッキ４ａ，４ｂ，４ｃにおける可動部１２の突出高さが、算出した目標値に一致するように、電動油圧ポンプ装置２７へ駆動制御信号を送出して、各油圧ジャッキ４ａ，４ｂ，４ｃを制御する構成となっている。
【００２５】
次に、上記構成のパッティンググリーン装置について、その作用を説明する。練習装置本体１の設置に際しては、先ず設置場所の地面に油圧ジャッキ４ａ，４ｂ，４ｃを配置し、各可動部１２の上に芝生面２を有するグリーン基台３を載せる。次に、これらのグリーン基台３や油圧ジャッキ４ａ，４ｂ，４ｃを取り囲むようにして、細分化されたターン部８と支持材７からなる小区画部１８を配置し、デッキ構造体１７を完成させる。そして最後に、デッキ構造体１７の任意の側部にスロープ部９を取り付ける。これにより、様々な施設に練習装置本体１を簡単に設置できる。なお、練習装置本体１の分解作業は、上述した設置時と逆の手順で行なえばよい。また、練習装置本体１の設置中に、荷重計２２や変位計２３を装備した油圧ジャッキ４ａ，４ｂ，４ｃと油圧ジャッキ制御装置２１との間が、電線および油圧配管により相互に接続される。
【００２６】
そして、実際の使用モードにおいて、油圧ジャッキ制御装置２１は記憶部２６に記憶保持される全てのコース情報と、これに関連付けた傾斜データを、一度に若しくは順に表示部２５の表示領域に表示させる。ここで、使用者が操作部２４を操作して、表示部２５に表示した特定のコース情報ひいては傾斜データを選択すると、油圧ジャッキ制御装置２１は、その特定の傾斜データに含まれる芝生面２の傾斜角度と傾斜方向を得るのに、各油圧ジャッキ４ａ，４ｂ，４ｃの可動部１２の突出高さをどの程度にすればよいのかを目標値として算出する。目標値が算出されると、油圧ジャッキ制御装置２１は、荷重計２２からの荷重検知信号や、変位計２３からの変位検知信号を一定時間毎に取り込み、その結果から実際の各油圧ジャッキ４ａ，４ｂ，４ｃにおける可動部１２の突出高さが目標値と一致するように、電動油圧ポンプ装置２７へ駆動制御信号を送出する。
【００２７】
これにより例えば図１に示すように、ほぼ水平なターン部８の上面に対して、グリーン基台３を含む芝生面２を任意の方向と角度に傾斜させることができる。また、操作部２４により別な特定のコース情報と、それに関連した傾斜データを選択した場合は、その特定した傾斜データに見合う別な方向と角度に、芝生面２を傾斜させることができる。
【００２８】
また、自然芝による芝生面２は、芝刈り機Ｓにより何時でも刈り込んで所望の芝目を形成することができる。芝刈り機Ｓを使用する場合は、予め操作部２４からの操作により、上述した使用モードとは別な芝刈りモードを選択する。すると油圧ジャッキ制御装置２１は、ターン部８の上面とグリーン基台３が同一水平面となるように、電動油圧ポンプ装置２７へ駆動制御信号を送出して、各油圧ジャッキ４ａ，４ｂ，４ｃの可動部１２の突出高さを調節する。この後に、スロープ部９からターン部８の上面に芝刈り機Ｓを移動させ、ターン部８の上平面で芝刈り機Ｓの方向を前後反転させながら、グリーン基台３上に芝刈り機Ｓを走行させて芝生面２を刈り込むことができる。本実施形態の練習装置本体１は、グリーン基台３の全周を取り囲むようにして、芝刈り機Ｓの折返し走行を可能にする大きさのターン部８が設けられているので、ターン部８の上面に導かれた芝刈り機Ｓを、どこからでも芝生面２に向けて走行させることができる。
【００２９】
こうして本実施形態のパッティンググリーン装置では、操作部２４による簡単な操作だけで、芝生面２を所望の傾斜角度と傾斜方向に調節できる。また、芝生面２は芝刈り機Ｓにより何時でも自由に芝目を形成できるので、ゴルフのパッティング技術を効果的に向上できるだけでなく、世界各地の著名なゴルフコースのグリーンをどこでも簡単に再現できる。
【００３０】
以上のように、本実施形態で提案するパッティンググリーン装置は、芝生面２を上側に露出した状態で有するグリーン基台３と、グリーン基台３の下部に複数設置され、その設置点でグリーン基台３の高さを各々変化させて、芝生面２全体の傾斜を調節可能にする可動部１２を備えた傾斜調節具としての油圧ジャッキ４ａ，４ｂ，４ｃと、芝生面２の傾斜の度合いとして、例えば傾斜角度と傾斜方向とを示す種々な複数の傾斜データを記憶する記憶部２６と、記憶部２６の中から特定の傾斜データを選択するのに操作される操作部２４と、操作部２４からの操作信号を受けて、特定の傾斜データに対応する傾斜が芝生面２で得られるように、油圧ジャッキ４ａ，４ｂ，４ｃの可動部１２を個々に制御する制御部としての油圧ジャッキ制御装置２１とを備えている。
【００３１】
このように本実施形態では、油圧ジャッキ制御装置２１に接続する記憶部２６に、例えば世界中のゴルフコースのグリーンに対応して、予め芝生面２の傾斜の度合いを示す種々の傾斜データが記憶保持されている。そこで、操作部２４を利用して、記憶部２６に記憶される全ての傾斜データの中から、特定の傾斜データを選択する操作を行なうだけで、後はグリーン基台３の下部に設置した複数の油圧ジャッキ４ａ，４ｂ，４ｃについて、その可動部１２の突出高さを油圧ジャッキ制御装置２1が個々に制御することで、特定の傾斜データに見合う傾斜に、芝生面２を含むグリーン基台３を自動的に調節することが可能になる。したがって、望ましい傾斜の芝生面２を簡単に得ることが可能なパッティンググリーン装置を提供できる。
【００３２】
また本実施形態では、芝生面２が芝刈り機Ｓでの刈り込みを可能にする天然芝で形成され、グリーン基台３の周囲に芝刈り機Ｓの折返し走行を可能にする床板状のターン部８を配設している。
【００３３】
これにより本実施形態では、ターン部８で芝刈り機Ｓを折返しターンさせながら、グリーン基台３上に植設された天然芝を刈り込むことで、芝生面２に所望の芝目を付けることが可能になる。したがって、芝生面２の傾斜のみならず芝目を任意に調節したパッティンググリーン装置を提供できる。
【００３４】
なお、本実施形態におけるパッティンググリーン装置は、先に本願出願人が提案したゴルフ練習具と組み合わせることで、より効果的なパッティング技術の練習が可能となる。ゴルフ練習具の詳細は、出願済の特願２０１６−１０１０９を参照されたい。
【実施例２】
【００３５】
図４〜図６は、本発明の第二実施形態で提案するパッティンググリーン装置の要部構成図である。第一実施形態と相違する主な点は、グリーン基台３が平面視で円形ではなく矩形（正方形）であること、それに伴いグリーン基台３の四隅下部に４つの油圧ジャッキ４ａ，４ｂ，４ｃ，４ｄが設置されると共に、グリーン基台３の中心下部に支柱１５が設置されることである。
【００３６】
本実施形態では、油圧ジャッキ４ａ，４ｂ，４ｃ，４ｄや、支持材７や、支柱１５が、地面に打設された基礎３１上に設置される。特に油圧ジャッキ４ａ，４ｂ，４ｃ，４ｄは、その点検を容易にするために、基礎３１に形成された４つの凹状の点検用ビット３２上にそれぞれ固設され、各々の点検用ビット３２に臨んで、水平方向に出し入れ移動可能な４つの小区画部１８が、デッキ構造体１７の一部として配設される。なお、３３は点検用ビット３２と地面とを連通する排水ビットであり、この排水ビット３３を通して点検用ビット３２に溜まる水を外部に排出できる。
【００３７】
支柱１５の上部に形成された球面状の削り出し部３５は、グリーン基台３の底面中央に設けられた受け部材３６を支承しており、ボール部としての削り出し部３５と、ボール受け部としての受け部材３６とにより、ボールジョイント構造に相当するフリーヒンジ３７を構成している。このフリーヒンジ３７により、グリーン基台３がどの方向に傾いても、グリーン基台３の中央部を支柱１５で支持することが可能になる（図５および図６を参照）。
【００３８】
グリーン基台３の外周部と、これを取り囲むターン部８の内周部との間には、ゴルフボールや異物などの落下を防止するために、全周に渡って帯状のシート材４１が懸架される。このシート材４１は、例えばエキスパンションゴムなどの柔軟性に富む材料からなり、油圧ジャッキ４ａ，４ｂ，４ｃ，４ｄによりグリーン基台３がどのように傾いた場合でも、グリーン基台３とターン部８との間の隙間を塞ぐように設けられる。
【００３９】
その他の構成は、図３に示す制御系統を含めて、第一実施形態で示したものと共通する。したがって、パッティンググリーン装置の作用も、油圧ジャッキ４ａ，４ｂ，４ｃ，４ｄが４つであることを除いて、第一実施形態で説明した通りのものとなる。
【００４０】
そしてこの実施形態でも、芝生面２を上側に露出した状態で有するグリーン基台３と、グリーン基台３の下部に複数設置され、その設置点でグリーン基台３の高さを各々変化させて、芝生面２全体の傾斜を調節可能にする可動部１２を備えた油圧ジャッキ４ａ，４ｂ，４ｃ，４ｄと、芝生面２の傾斜の度合いとして、例えば傾斜角度と傾斜方向とを示す種々な複数の傾斜データを記憶する記憶部２６と、記憶部２６の中から特定の傾斜データを選択するのに操作される操作部２４と、操作部２４からの操作信号を受けて、特定の傾斜データに対応する傾斜が芝生面２で得られるように、油圧ジャッキ４ａ，４ｂ，４ｃ，４ｄの可動部１２を個々に制御する制御部としての油圧ジャッキ制御装置２１とを備えている。
【００４１】
そのため、操作部２４を利用して、記憶部２６に記憶される全ての傾斜データの中から、特定の傾斜データを選択する操作を行なうだけで、後はグリーン基台３の下部に設置した複数の油圧ジャッキ４ａ，４ｂ，４ｃ，４ｄについて、その可動部１２の突出高さを油圧ジャッキ制御装置２1が個々に制御することで、特定の傾斜データに見合う傾斜に、芝生面２を含むグリーン基台３を自動的に調節することが可能になる。したがって、望ましい傾斜の芝生面２を簡単に得ることが可能なパッティンググリーン装置を提供できる。
【００４２】
また本実施形態では、芝生面２が芝刈り機Ｓでの刈り込みを可能にする天然芝で形成され、グリーン基台３の周囲に芝刈り機Ｓの折返し走行を可能にする床板状のターン部８を配設している。
【００４３】
これにより本実施形態では、ターン部８で芝刈り機Ｓを折返しターンさせながら、グリーン基台３上に植設された天然芝を刈り込むことで、芝生面２に所望の芝目を付けることが可能になる。したがって、芝生面２の傾斜のみならず芝目を任意に調節したパッティンググリーン装置を提供できる。
【００４４】
以上、本発明の好ましい実施形態について説明したが、本発明はこれらの実施形態に限定されるものではなく、本発明の趣旨を逸脱しない範囲で種々の変更実施が可能である。例えば、本実施形態では傾斜調節具として油圧ジャッキ４ａ，４ｂ，４ｃを用いたが、それ以外の器具を代用しても構わない。またその器具に合せて、油圧ジャッキ制御装置に代わる制御部を組み込んでもよい。
【符号の説明】
【００４５】
２  芝生面
３  グリーン基台
４ａ，４ｂ，４ｃ，４ｄ  油圧ジャッキ（傾斜調節具）
７  支持材
８  ターン部
９  スロープ部
２１  油圧ジャッキ制御装置（制御部）
２４  操作部
２６  記憶部
Ｓ  芝刈り機
【図１】
0006495865.tif 000002
【図２】
0006495865.tif 000003
【図３】
0006495865.tif 000004
【図４】
0006495865.tif 000005
【図５】
0006495865.tif 000006
【図６】
0006495865.tif 000007